(57)【特許請求の範囲】
【請求項１】
上型と下型とから成る圧縮成形用型の下型キャビティに樹脂材料を均一厚さに供給するために、該下型キャビティの開口に対応した形状の開口を上下に有するフレーム枠と該フレーム枠の下部の開口を被覆した離型フィルムとにより形成した凹状収容部に樹脂材料を供給する方法であって、
a) 前記凹状収容部を複数の平面領域に区分したうちの一つの区分領域が、定位置に備えられたリニアフィーダの樹脂供給口の下に位置するように前記凹状収容部を配置する配置工程と、
b) 前記リニアフィーダの樹脂供給口から樹脂材料を供給しつつ、前記凹状収容部をリニアフィーダの樹脂供給口に対して移動させることによって、樹脂材料を前記区分領域内に均一厚さに供給する樹脂供給工程と、
c) 前記区分領域とは別の区分領域が前記樹脂供給口の下に位置するように、前記凹状収容部を回転移動させる領域移動工程と
を含むことを特徴とする樹脂材料供給方法。
【請求項２】
前記領域移動工程において、前記凹状収容部を、その重心を中心に回転移動させることを特徴とする請求項１に記載の樹脂材料供給方法。
【請求項３】
前記複数の平面領域が全て同一の形状であることを特徴とする請求項１又は２に記載の樹脂材料供給方法。
【請求項４】
請求項１〜３のいずれかに記載の樹脂材料供給方法を用いることを特徴とする圧縮成形方法。
【請求項５】
上型と下型とから成る圧縮成形用型の下型キャビティに樹脂材料を均一厚さに供給するために、該下型キャビティの開口に対応した形状の開口を上下に有するフレーム枠と、該フレーム枠の下部の開口を被覆した離型フィルムとにより形成した凹状収容部に樹脂材料を供給する機構であって、
a) 定位置に備えられたリニアフィーダの樹脂供給口から樹脂材料を供給する樹脂供給手段と、
b) 前記凹状収容部を移動させる移動手段と、
c) 前記凹状収容部を複数の平面領域に区分した区分領域のそれぞれが前記樹脂供給の下に位置するように、前記移動手段が前記凹状収容部を回転移動させるように制御する領域移動制御手段と、
d) 前記複数の区分領域のそれぞれの内部において樹脂材料が均一の厚さで供給されるように、前記樹脂供給手段によりリニアフィーダの樹脂供給口から樹脂材料を供給しつつ、該区分領域内で、前記凹状収容部を前記リニアフィーダの樹脂供給口に対して移動させるように前記移動手段を制御する樹脂供給制御手段と
を備えることを特徴とする樹脂材料供給機構。
【請求項６】
前記領域移動制御手段は、前記凹状収容部を、その重心を中心に回転移動させるように前記移動手段を制御することを特徴とする請求項５に記載の樹脂材料供給機構。
【請求項７】
前記複数の区分領域が全て同一の形状であることを特徴とする請求項５又は６に記載の樹脂材料供給機構。
【請求項８】
請求項５〜７のいずれかに記載の樹脂材料供給機構を備えることを特徴とする圧縮成形装置。
【請求項９】
更に、成形前基板の収容部と成形済基板の収容部とを有する基板供給収容機構を備えることを特徴とする請求項８に記載の圧縮成形装置。
【請求項１０】
前記樹脂材料供給機構と、成形前基板の収容部と成形済基板の収容部とを有する基板供給収容機構と、圧縮成形機構とをそれぞれ任意の数、任意の配置で互いに着脱可能に構成したことを特徴とする請求項８に記載の圧縮成形装置。
【発明の詳細な説明】
【技術分野】
【０００１】
本発明は、半導体チップなどの電子部品を樹脂封止する方法に関し、特に、圧縮成形のために顆粒状、粉末状、ペースト状、液状などの樹脂材料（以下、これらを総称して単に「樹脂材料」と呼ぶ。）を型のキャビティに供給する方法、及び装置に関する。
【背景技術】
【０００２】
電子部品の薄型化に伴い、圧縮成形が用いられるようになってきている。圧縮成形では、離型フィルムで被覆した下型のキャビティに樹脂材料を供給し、該樹脂材料を加熱溶融し、上型に取り付けた、電子部品を装着した基板を浸漬させた後、下型と上型を型締めすることで該樹脂を圧縮して成形が行われる。このような圧縮成形では、大型の基板の全体に亘って欠陥のない成形を行うためには、キャビティに所定量の樹脂材料を均一に過不足無く供給することが重要となる。
【０００３】
特許文献１には、キャビティに顆粒状樹脂Ｒを均一の厚さで過不足無く供給する方法が次のように記載されている（図１参照）。まず、下型１８のキャビティ１８ａの開口に対応した形状の開口を上下に有する矩形フレーム枠１１の下部の開口を離型フィルム１２で被覆し、矩形フレーム枠１１の下面で吸着して凹状収容部１３を形成する(a)。この凹状収容部１３を載置台１４に載せ、フィーダ１５から顆粒状樹脂Ｒを離型フィルム１２上で均一の厚さとなるように供給する(b)。その後、顆粒状樹脂Ｒを収容した凹状収容部１３を、矩形フレーム枠１１で囲まれた離型フィルム１２の部分がキャビティ１８ａの真上にくるようにして下型１８の型面に載置し(c)、矩形フレーム枠１１の下面での離型フィルム１２の吸着を解除した後、離型フィルム１２を、その上にある顆粒状樹脂Ｒと共にキャビティ１８ａ内に吸引して引き込む(d)。これによって、均一の厚さの顆粒状樹脂Ｒがキャビティ１８ａ内に供給される。その後、顆粒状樹脂Ｒを加熱溶融し(e)、この溶融樹脂Ｒｍをキャビティ１８ａ内に含む下型１８と、電子部品２０を装着した基板２１を、その装着面を下方に向けた状態で取り付けた上型１９とを型締めすることにより、電子部品２０を溶融樹脂Ｒｍに浸漬すると共に溶融樹脂Ｒｍを、樹脂加圧用のキャビティ底面部材１８ｂにより押圧する(f)。溶融樹脂Ｒｍが固化した後に上型１９と下型１８を型開きすることにより、電子部品２０の樹脂封止成形品が得られる(g)。
【０００４】
顆粒状樹脂Ｒを離型フィルム１２上で均一の厚さとなるように供給する方法としては、図２(a)に示すように、リニアフィーダ１５から一定の供給速度で顆粒状樹脂Ｒを供給しつつ、凹状収容部１３をリニアフィーダ１５の樹脂供給口１５ａに対して一定の速度で移動させ、その軌跡が交差することなく凹状収容部１３の全面を覆うようにすることによって顆粒状樹脂Ｒを均一の厚さで供給するという方法をとることができる。以下、このような移動法を一筆書き移動法と呼ぶ。
【先行技術文献】
【特許文献】
【０００５】
【特許文献１】特開2010-036542号公報
【発明の概要】
【発明が解決しようとする課題】
【０００６】
基板が大型化し、それに伴ってキャビティ及びフレーム枠（凹状収容部）も大型化しているが、上記方法では次のような問題がある。前述の通り、顆粒状樹脂をリニアフィーダで供給する際、その供給速度を一定にするためにリニアフィーダを振動させている。このようにリニアフィーダを所定の振動速度（周波数）で確実に振動させるためには、図２(b)に示すように、リニアフィーダ１５に供給する顆粒状樹脂Ｒを収容した収容部１７を、しっかりとした土台１６で支え、高い剛性で保持しておく必要がある。そのため、凹状収容部１３が収容部１７の下にもぐることができず、上記のような一筆書き移動法で供給する場合、リニアフィーダ１５の長さは、凹状収容部１３の大きさ（最大径）よりも大きくしておかなければならない。
【０００７】
一方、リニアフィーダは、その共振周波数の近傍で振動させることにより効率よく加振することができるが、リニアフィーダが長くなると、リニアフィーダの取付部に近い部分と先端部とで共振周波数が異なるようになり、顆粒状樹脂を定量供給することができなくなる。
【０００８】
また、凹状収容部が大型化するに伴い、上記従来の方法でその全面に顆粒状樹脂を一筆書き移動法で供給しようとすると、リニアフィーダを長くせざるを得ないが、そうすると、顆粒状樹脂を正確に計量しかつ平坦化した状態で凹状収容部に供給できなくなり、凹状収容部への顆粒状樹脂の安定供給が困難になる。
【０００９】
本発明が解決しようとする課題は、生産性を低下させることなく、樹脂材料をキャビティ内に均等に供給することができる圧縮成形装置の樹脂材料供給方法及び供給機構を提供することである。
【課題を解決するための手段】
【００１０】
上記課題を解決するために成された本発明に係る圧縮成形装置の樹脂材料供給方法は、
上型と下型とから成る圧縮成形用型の下型キャビティに樹脂材料を均一厚さに供給するために、該下型キャビティの開口に対応した形状の開口を上下に有するフレーム枠と該フレーム枠の下部の開口を被覆した離型フィルムとにより形成した凹状収容部に樹脂材料を供給する方法であって、
a) 前記凹状収容部を複数の平面領域に区分したうちの一つの区分領域が、定位置に備えられたリニアフィーダの樹脂供給口の下に位置するように、前記凹状収容部を配置する配置工程と、
b) 前記リニアフィーダの樹脂供給口から樹脂材料を供給しつつ、前記凹状収容部をリニアフィーダの樹脂供給口に対して移動させることによって、樹脂材料を前記区分領域内に、厚さが均一となるように供給する樹脂供給工程と、
c) 前記区分領域とは別の区分領域が前記樹脂供給口の下に位置するように、前記凹状収容部を回転移動させる領域移動工程と
を含むことを特徴とする。
【００１１】
本発明に係る圧縮成形装置の樹脂材料供給方法では、まず、複数の平面領域に区分された凹状収容部の区分領域の一つがリニアフィーダの樹脂供給口の下に位置するように凹状収容部が配置される。そして、前記凹状収容部をリニアフィーダの樹脂供給口に対して移動させることにより、顆粒状、粉末状、ペースト状、液状などの樹脂材料をその区分領域内に、厚さが均一となるように供給する。樹脂材料の厚さが区分領域内で均一となるようにする方法としては、リニアフィーダの樹脂供給口が該区分領域内で相対的に前記一筆書き移動法で移動する（実際には、リニアフィーダの方が固定されており、区分領域＝凹状収容部の方が移動する）ようにしつつ、該リニアフィーダの樹脂供給口から一定の供給速度で樹脂材料を供給するという方法をとることができる。また、リニアフィーダの樹脂供給口からの樹脂供給速度と、前記一筆書き移動法の移動速度を連動させることにより、厚さが均一となるようにしてもよい。
【００１２】
こうして、この区分領域に均一の厚さの樹脂材料の層を形成した後、凹状収容部を移動させ、別の区分領域がリニアフィーダの樹脂供給口の下に位置するように凹状収容部を配置する。このリニアフィーダの樹脂供給口の下に配置された区分領域には、その後、上記同様の樹脂供給工程によって均一の厚さの樹脂材料の層が形成される。この移動工程と樹脂供給工程とを全ての区分領域で行うことにより、凹状収容部全体に均一の厚さで樹脂材料が供給される。
【００１３】
本発明に係る圧縮成形装置の樹脂材料供給方法によると、リニアフィーダから樹脂材料を供給する際のリニアフィーダの樹脂供給口と凹状収容部の相対的な移動距離の最大値は、凹状収容部の全体の大きさではなく、それを複数の平面領域に区分したうちの一つの区分領域の大きさとなるため、リニアフィーダを長くする必要がない。そのため、樹脂材料の供給速度が低下することはなく、生産性が低下することもない。
【００１４】
この樹脂材料供給方法では、
前記領域移動工程において、前記凹状収容部を、その重心を中心に回転移動させることが望ましい。
【００１５】
この構成により、全ての区分領域を樹脂供給口の下に位置させるために必要な凹状収容部の全体の移動スペースが最小化される。
【００１６】
また、前記複数の平面領域は全て同一の形状であることが望ましい。
【００１７】
この構成により、各区分領域において、同一の軌跡で一筆書き移動法を行うことができるため、操作が単純化され、効率的に樹脂材料を供給することが可能となる。
【００１８】
上記課題を解決するために成された本発明に係る圧縮成形装置用の樹脂材料供給機構は、
上型と下型とから成る圧縮成形用型の下型キャビティに樹脂材料を均一厚さに供給するために、該下型キャビティの開口に対応した形状の開口を上下に有するフレーム枠と、該フレーム枠の下部の開口を被覆した離型フィルムとにより形成した凹状収容部に樹脂材料を供給する機構であって、
a) 定位置に備えられたリニアフィーダの樹脂供給口から樹脂材料を供給する樹脂供給手段と、
b) 前記凹状収容部を移動させる移動手段と、
c) 前記凹状収容部を複数の平面領域に区分した区分領域のそれぞれが前記樹脂供給口の下に位置するように、前記移動手段が前記凹状収容部を回転移動させるように制御する領域移動制御手段と、
d) 前記複数の区分領域のそれぞれの内部において樹脂材料が均一の厚さで供給されるように、前記樹脂供給手段によりリニアフィーダの樹脂供給口から樹脂材料を供給しつつ、該区分領域内で、前記凹状収容部を前記リニアフィーダの樹脂供給口に対して移動させるように前記移動手段を制御する樹脂供給制御手段と
を備えることを特徴とする。
【００１９】
本発明に係る圧縮成形装置用の樹脂材料供給機構では、まず、領域移動制御手段により、複数の平面領域に区分された凹状収容部の区分領域の一つがリニアフィーダの樹脂供給口の下に位置するように、凹状収容部を配置させる。そして、樹脂供給制御手段により、その区分領域内に樹脂材料を、その厚さがその区分領域内において均一となるように供給する。この区分領域に均一の厚さの樹脂材料の層を形成した後、領域移動制御手段によって凹状収容部を移動させ、別の区分領域がリニアフィーダの樹脂供給口の下に位置するように凹状収容部を配置する。このリニアフィーダの樹脂供給口の下に配置された区分領域には、上記と同様に、樹脂供給制御手段によって均一の厚さの樹脂材料の層が形成される。このような領域移動と樹脂供給を全ての区分領域で行うことにより、凹状収容部全体に均一の厚さの樹脂材料が供給される。
【００２０】
本発明に係る圧縮成形装置用の樹脂材料供給機構によると、リニアフィーダから樹脂を供給する際のリニアフィーダの樹脂供給口と凹状収容部の相対的な移動距離の最大値は、凹状収容部の全体の大きさではなく、それを複数の平面領域に区分したうちの一つの区分領域の大きさとなるため、リニアフィーダを長くする必要がない。そのため、樹脂材料の供給速度が低下することはなく、生産性が低下することもない。
【００２１】
前記領域移動制御手段は、前記凹状収容部を、その重心を中心に回転移動させるように前記移動手段を制御することが望ましい。
【００２２】
また、前記複数の区分領域は全て同一の形状であることが望ましい。
【発明の効果】
【００２３】
本発明に係る圧縮成形装置の樹脂材料供給方法及び供給機構によれば、生産性を低下させることなく、樹脂材料をキャビティ内に均等に供給することができる。
【図面の簡単な説明】
【００２４】
【図１】従来の圧縮成形の手順を説明する概略図。
【図２】一筆書き移動法を説明する概略図。
【図３】本発明の一実施例に係る圧縮成形装置用の樹脂材料供給機構の平面概略図(a)、及び側面概略図(b)。
【図４】同実施例の樹脂材料供給機構の機能ブロック図。
【図５】同実施例の樹脂材料供給機構における樹脂材料の供給方法を説明するフローチャート。
【図６】同実施例の樹脂材料供給部における樹脂材料の供給方法における凹状収容部と樹脂供給口の位置関係、及び凹状収容部の移動方向を示す図。
【図７】凹状収容部を区分する別の例を示す図。
【図８】同実施例の樹脂材料供給機構を有する圧縮成形装置の概略構成図。
【発明を実施するための形態】
【００２５】
（樹脂材料供給機構）
本発明に係る圧縮成形装置用の樹脂材料供給機構の一実施例について、図３及び図４を参照しながら説明する。この圧縮成形装置用の樹脂材料供給機構３０（以下、単に「樹脂供給機構」という）は、上型と下型とからなる圧縮成形用型の下型キャビティに樹脂材料を供給するための装置であり、定位置に置かれた土台３６に設けられたリニアフィーダ３５と、その保持部３５ｂの上部に配置された、顆粒状樹脂Ｒを収容したホッパ３７とから成る樹脂供給部と、フレーム枠３１と離型フィルム３２によって下型キャビティの形状に対応するように形成された凹状収容部３３と、該凹状収容部３３を載せる載置台３４とを備える。ホッパ３７には、そこに収容された顆粒状樹脂Ｒを安定してリニアフィーダ３５の保持部３５ｂに供給するためのホッパ用振動機構３７ａと、保持部３５ｂへの顆粒状樹脂Ｒの供給／停止を制御するシャッタ３７ｂが設けられている。リニアフィーダ３５の保持部３５ｂの下には、保持部３５ｂの重量（すなわち、保持部３５ｂ内の顆粒状樹脂Ｒの重量）をリアルタイムに計測するためのロードセル４０が設けられている。リニアフィーダ３５には、その樹脂供給口３５ａから顆粒状樹脂Ｒを一定の供給速度（単位時間当たりの供給量）で供給させるように該リニアフィーダ３５を振動させる振動機構３９が設けられている。樹脂供給口３５ａの前方には、リニアフィーダ３５から凹状収容部３３への樹脂材料の供給／停止を制御するためのシャッタ３８が設けられている。載置台３４には、該載置台３４を移動させるための移動機構４１が設けられている。本実施例では、移動機構４１は、載置台３４をその面（これをＸ−Ｙ面とする）に平行な2方向に移動させる平行移動部４１ａと、載置台３４をその重心（中心）の回りに回転させる回転移動部４１ｂから成る。
【００２６】
樹脂供給機構３０は、さらに、制御部５０を備える。制御部５０は、振動機構３９、シャッタ３８及び移動機構４１を制御する樹脂供給制御部５２と、移動機構４１を制御する領域移動制御部５３を含んで構成される。これら制御部の機能については後述する。また、制御部５０には入力部５５が接続されている。
【００２７】
本樹脂供給機構３０によって顆粒状樹脂Ｒが凹状収容部３３に供給される際の各機構の動作を、図４〜図６を参照しながら説明する。まず、作業者は、入力部５５より、予め定められた候補の中から、これから成形を行おうとする型のキャビティに対応したフレーム枠３１の形状・サイズ（例えば、180 mm×200 mmの長方形、200 mm×200 mmの正方形、直径200 mmの円形など）や凹状収容部３３に供給する顆粒状樹脂Ｒの投入量Ｗなどを選択入力する（ステップＳ１１）。候補となっている各形状・サイズのフレーム枠３１に対しては、それぞれに対応する凹状収容部３３が、予め所定数の平面領域（区分領域）に区分されており、作業者がフレーム枠３１を選択すると、その区分領域は自動的に決定される。
【００２８】
制御部５０は、前記作業者の設定に基づき、以下のように各機構の動作条件を決定する（ステップＳ１２）。まず、各区分領域に対して予め定められた開始点、軌跡、終了点を所定のデータベースから読み出す。次に、入力された投入量Ｗと、リニアフィーダ３５の樹脂供給口３５ａから供給される樹脂の単位時間当たりの供給量と、各区分領域における一筆書きの軌跡の長さから、各区分領域内での一筆書き移動法における移動速度（すなわち、凹状収容部３３のＸ−Ｙ方向の移動速度）を計算する。そして、作業者に対し、凹状収容部３３を載置台３４の所定位置に載置するように指示する。作業者は、選択したフレーム枠３１及びその下面に吸着保持された離型フィルム３２により形成された凹状収容部３３を、載置台３４上の前記所定位置に置く（ステップＳ１３）。
【００２９】
作業者が凹状収容部３３を所定位置に置き、入力部５５のスタートボタンを押すと、領域移動制御部５３は移動機構４１の平行移動部４１ａ及び回転移動部４１ｂにより載置台３４を移動させ、予め定められた第１の区分領域の開始点が樹脂供給口３５ａの真下に来るようにする（ステップＳ１４）。
【００３０】
本実施例では、図６(a)に示すように、正方形の凹状収容部３３が選択され、この凹状収容部３３は等しい形状の長方形の区分領域３３Ａ、３３Ｂの二つに区分されているものとする。そして、区分領域３３Ａが第１の区分領域に設定されており、各区分領域３３Ａ、３３Ｂ内での軌跡は、Ｙ方向(1)→Ｘ方向(2)→Ｙ方向(3)→Ｘ方向(4)→Ｙ方向(5)→Ｘ方向(6)→Ｙ方向(7)となっている。この軌跡は、区分領域の全面を覆うように、且つ既に描いた線に交差しないように設定されている。また、凹状収容部３３の重心の平面位置が移動機構４１に含まれるモータ（回転移動部４１ｂ）の回転中心と一致するように、載置台３４の前記所定位置が決定されている。
【００３１】
樹脂供給制御部５２は、以下の通りに各機構を制御し、この第１の区分領域３３Ａへの顆粒状樹脂Ｒを供給する。まず、振動機構３９によりリニアフィーダ３５を振動させ、シャッタ３８を開にして顆粒状樹脂Ｒをリニアフィーダ３５から凹状収容部３３に落下させる。そして、この区分領域３３Ａに対して予め定められた上記軌跡に沿って樹脂供給口３５ａが動くように、移動機構４１の平行移動部４１ａにより載置台３４をＸ−Ｙ方向に移動させる。この時、平行移動部４１ａは前記のように計算された移動速度で載置台３４を移動させる（ステップＳ１５、図６(b)）。
【００３２】
リニアフィーダ３５は所定の振動速度（周波数）で振動しているため、顆粒状樹脂Ｒはその樹脂供給口３５ａから単位時間当たり所定の供給量で供給され、その間、載置台３４上の凹状収容部３３（区分領域３３Ａ）も一定の移動速度で移動する。その結果、区分領域３３Ａ上に、投入量Ｗの１／２の量の顆粒状樹脂Ｒが所定の均一の厚さの層で堆積する。
【００３３】
軌跡が終了点まで来て、区分領域３３Ａの全面が顆粒状樹脂Ｒで覆われると（図６(c)）、シャッタ３８を閉にしてリニアフィーダ３５からの顆粒状樹脂Ｒの供給を停止すると共に、移動機構４１のＸ−Ｙ平行移動部４１ａを停止させる。
【００３４】
その後、制御部５０は、全ての区分領域を樹脂供給口３５ａの下に配置したが否かを判定し（ステップＳ１６）、ＮＯの場合、領域移動制御部５３が移動機構４１の回転移動部４１ｂを動作させ、樹脂供給口１５ａの下に別の区分領域を配置させるように、載置台１４を移動させる（ステップＳ１７、図６(d)）。本実施例では、まだ区分領域３３Ｂを樹脂供給口１５ａの下に配置していないので（ステップＳ１６でＮＯ）、領域移動制御部５３は、載置台１４を180°回転移動させるように回転移動部４１ｂを動作させる。その結果、区分領域３３Ｂが樹脂供給口３５ａの下に配置される（図６(e)）。その後、ステップＳ１４に戻り、区分領域３３Ｂの軌跡（本実施例では、区分領域３３Ｂの軌跡は区分領域３３Ａの軌跡と同じである。）の開始点が樹脂供給口３５ａの下に配置された後（図６(f)）、ステップＳ１５で顆粒状樹脂Ｒが区分領域３３Ｂに供給される。このようにして、区分領域３３Ｂにも、区分領域３３Ａと同様に、投入量Ｗの１／２の量の顆粒状樹脂Ｒが所定の均一の厚さで供給される。その後、シャッタ３８を閉にしてリニアフィーダ３５からの顆粒状樹脂Ｒの供給を停止し、リニアフィーダ３５の振動を停止すると共に、移動機構４１のＸ−Ｙ平行移動部４１ａを停止させる。
【００３５】
その後、ステップＳ１６に進み、全ての区分領域を樹脂供給口３５ａの下に配置したか否かが判定される。本実施例では、全ての区分領域３３Ａ及び３３Ｂを樹脂供給口３５ａの下に配置したため（ステップＳ１６でＹＥＳ）、顆粒状樹脂Ｒの供給は終了する。
【００３６】
以上のように、本実施例の樹脂供給機構３０によると、領域移動制御部５３によって、複数の平面領域に区分された各区分領域３３Ａ、３３Ｂをリニアフィーダ３５の樹脂供給口３５ａの下に配置させ、樹脂供給制御部５２によって、その区分領域全面を樹脂供給口３５ａの下に通過させることができ、区分領域毎にその全面に均一の厚さの顆粒状樹脂Ｒを供給することができる。この、リニアフィーダ３５から顆粒状樹脂Ｒを供給する際の、Ｘ方向（リニアフィーダ３５の長手方向）におけるリニアフィーダ３５の樹脂供給口３５ａと凹状収容部３３の相対的な移動距離の最大値は、凹状収容部３３の全体の大きさではなく、それを２つの平面領域に区分したうちの一つの区分領域３３Ａ又は３３Ｂの大きさとなるため、リニアフィーダ３５を長くする必要がない。そのため、顆粒状樹脂Ｒの供給速度が低下することはなく、生産性が低下することもない。
【００３７】
また、リニアフィーダ３５の樹脂供給口３５ａの下に配置する区分領域を区分領域３３Ａから区分領域３３Ｂに変更する際に、凹状収容部３３の重心を中心に回転移動させることにより、区分領域の移動に必要なスペースが最小化される。逆に、使用可能なスペースが限られている場合には、より大きな平面領域を有する凹状収容部の全面に顆粒状樹脂Ｒを供給することができ、より大型の基板の樹脂成形が可能となる。
【００３８】
上記実施例の樹脂供給機構は本発明の一例であり、本発明の趣旨の範囲で適宜に変形や修正、追加が許容される。例えば、凹状収容部を区分する数は、二つに限定されることはなく、例えば、図７(a)に示すように、矩形の凹状収容部５６を等しい四つの矩形の平面領域５６Ａ〜５６Ｄに区分してもよく、図７(b）に示すように、円形の凹状収容部５７を、六つの等しい扇形の平面領域５７Ａ〜５７Ｆに区分してもよい。区分する数や区分の仕方を、入力部５５により作業者が指定するようにしてもよい。
また、上記実施例では、区分された複数の平面領域の形状が全て等しいため、各区分領域内の軌跡も同一とすることができ、制御が容易となるが、適切な軌跡を作成しさえすれば、全ての区分領域を等しい形状にする必要はない。
さらに、上記実施例では、区分領域の移動は回転移動部４１ｂのみにより行い、一筆書き移動は平行移動部４１ａのみによって行ったが、両移動の役割をこのように限定することなく、区分領域の移動に平行移動部４１ａを使用し、一筆書き移動に回転移動部４１ｂを使用してもよいし（例えば、円形の凹状収容部を同心円状の複数の区分領域に区分した場合）、区分領域の移動と一筆書き移動において両移動部４１ａ、４１ｂを併用するようにしてもよい。
なお、図７(b）において、５８は円形のフレーム枠であり、５９は円形の離型フィルムである。この円形の離型フィルム５９は、ロール状に巻かれた長尺離型フィルムからロータリーカッターなどで円形に切り抜かれて分離されたものである。
【００３９】
上記実施例では、樹脂材料として顆粒状樹脂を用いているが、これは粉末状樹脂であっても同様の機構を用いることができる。樹脂材料がペースト状又は液状の樹脂である場合は、リニアフィーダには振動機構を設ける必要はなく、保持部に常にほぼ一定の量のペースト状又は液状の樹脂を保持させておくだけでよい。
なお、本明細書中では、「液状」という用語は常温において液状であって様々な流動性を有することを意味しており、液状樹脂には、供給された時直ちに凹状収容部内に拡がらないものが含まれる。
【００４０】
（圧縮成形装置）
図８は、上記実施例の樹脂材料供給機構を有する圧縮成形装置の概略構成図である。この圧縮成形装置６０は、成形前基板７６ａに装着された半導体チップなどの電子部品を下型キャビティ６３内において樹脂封止して成形済基板７６ｂを形成する成形ユニット６１と、成形ユニット６１に成形前基板７６ａを供給し且つ成形ユニット６１で成形された成形済基板７６ｂを収容する基板ユニット７１と、離型フィルム８３上に顆粒状樹脂Ｒを均一の厚さで供給し、その顆粒状樹脂Ｒをその状態で圧縮成形用型６２の下型キャビティ６３内に供給する樹脂供給ユニット８０と、各ユニット間を繋ぐレール８９と、各部を制御する制御部９０などを備える。基板ユニット７１と樹脂供給ユニット８０は、成形ユニット６１の両側に分かれて相対向して配置されている。レール８９は、これらの各ユニットが並ぶ方向に延びるように設置されている。
【００４１】
成形ユニット６１は、上型と下型とから成る圧縮成形用型６２と、顆粒状樹脂Ｒを加熱溶融する加熱手段とを備える。上型の下面には、電子部品を装着した成形前基板７６ａを下方に向けた状態で供給セットするための上型基板セット部が設けられている。下型には、下型キャビティ６３が設けられ、さらに下型キャビティ６３内で加熱溶融された樹脂を押圧する樹脂加圧用のキャビティ底面部材が設けられている。
【００４２】
基板ユニット７１は、基板ローダ７２と、成形前基板収容部７３と、成形済基板収容部７４と、ロボットアーム機構７５とを備える。基板ローダ７２は、成形前基板７６ａを成形ユニット６１に供給し、また成形ユニット６１で成形された成形済基板７６ｂを収容するもので、レール８９上に配置されている。
【００４３】
樹脂供給ユニット８０は、ロール状に巻かれた長尺離型フィルム８３ａと、該長尺離型フィルム８３ａの先端を掴んで引き出すグリップ８４と、該長尺離型フィルム８３ａを所要の長さに裁断して分離するフィルム裁断機構８６と、長尺離型フィルム８３ａを載置する載置台８５や顆粒状樹脂Ｒの供給機構であるリニアフィーダ８７などの上記実施例の樹脂材料供給機構３０の各部が設けられている。載置台８５は、平行移動部と回転移動部から構成される移動機構を備える。なお、本圧縮成形装置６０では、上記実施例の樹脂材料供給機構３０は、その制御部５０が、本圧縮成形装置６０の制御部９０と電気的に接続され、圧縮成形装置６０の制御部９０により制御することができる。
【００４４】
さらに、樹脂供給ユニット８０は、一体化された樹脂ローダ８１と後処理機構８２とを有する。樹脂ローダ８１は、保持する矩形フレーム枠８８を、載置台８５上に引き出された離型フィルム８３上に配置し、該矩形フレーム枠８８の下面に張設された離型フィルム８３上に載置された顆粒状樹脂Ｒをその状態で圧縮成形用型６２の下型キャビティ６３内に供給するものである。後処理機構８２は、上側に上型面クリーナが、下側に離型フィルム８３除去機構が、一体化して設けられたものである。これら樹脂ローダ８１と後処理機構８２はレール８９上に配置されている。
【００４５】
制御部９０は、成形前基板７６ａに装着された電子部品を樹脂封止し成形済基板７６ｂとするために、上記各部を以下のように制御する。
【００４６】
まず、基板ユニット７１において、制御部９０はロボットアーム機構７５を駆動させ、成形前基板収容部７３から成形前基板７６ａを取り出し、表裏を反転させ、電子部品の装着面側を下方に向けて基板ローダ７２に載置する。この成形前基板７６ａは、基板ローダ７２により、レール８９上を成形ユニット６１まで搬送され、上型の上型基板セット部にセットされる。
【００４７】
樹脂供給ユニット８０では、グリップ８４が、ロール状に巻かれた長尺離型フィルム８３ａの先端を把持し離型フィルム８３を載置台８５上に引き出した後、フィルム裁断機構８６がこの離型フィルム８３を引き出された部分の端部で全幅に亘って裁断する。それから、樹脂ローダ８１により、矩形フレーム枠８８がこの離型フィルム８３上に配置される。その後、離型フィルム８３が矩形フレーム枠８８の下面に装着されて凹状収容部が形成される。この凹状収容部に、上記実施例の樹脂材料供給方法により顆粒状樹脂Ｒが均一の厚さで供給される。
【００４８】
顆粒状樹脂Ｒが均一の厚さで供給された凹状収容部は、樹脂ローダ８１により、レール８９上を樹脂供給ユニット８０から成形ユニット６１まで搬送され、下型の開口に載せられる。その後、離型フィルム８３がその上の顆粒状樹脂Ｒと共に下型キャビティ６３内に引き込まれる。それから、樹脂ローダ８１により矩形フレーム枠８８が下型より取り除かれた後、加熱手段により顆粒状樹脂Ｒが加熱溶融される。この溶融樹脂を下型と上型により型締めすることにより、電子部品を溶融樹脂に浸漬すると共に溶融樹脂をキャビティ底面部材により押圧する。溶融樹脂が固化した後に上型と下型を型開きし、成形済基板７６ｂ（電子部品の樹脂封止成形品）を得る。
【００４９】
成形済基板７６ｂは、基板ローダ７２により、レール８９上を成形ユニット６１から基板ユニット７１まで搬送された後、そこでロボットアーム機構７５により基板ローダ７２から取り出され表裏が反転され、樹脂封止された側を上方に向けて成形済基板収容部７４に収容される。
【００５０】
成形ユニット６１から成形済基板７６ｂが取り出された後、後処理機構８２の上型面クリーナにより上型基板セット部がクリーニングされる。これと並行して又はタイミングをずらせて、離型フィルム除去機構により不要になった離型フィルム８３が下型から取り除かれる。
【００５１】
以上のように、本圧縮成形装置６０は制御部９０により全自動装置として動かすことができる。
【００５２】
また、本圧縮成形装置６０では、基板ユニット７１と樹脂供給ユニット８０が、成形ユニット６１の両側に分かれて相対向して配置されているため、顆粒状樹脂Ｒの微粉末と成形前基板７６ａとが接触することが防止される。その結果、成形前基板７６ａに顆粒状樹脂Ｒの微粉末が付着することにより成形不良が発生するおそれや、成形済基板７６ｂに顆粒状樹脂Ｒの微粉末が付着することにより後工程に悪影響を与えるおそれなどがなくなる。
【００５３】
なお、上記の実施例では、各ユニットは分離しており、ボルト及びナットなどの連結手段を使用して互いに着脱可能となっている。この場合、圧縮成形装置６０において、基板ユニット７１或いは樹脂供給ユニット８０を成形ユニット６１から分離し、この成形ユニット６１に、さらなる成形ユニット６１を１又は複数台装着した後、端部の成形ユニット６１に、先に分離した基板ユニット７１或いは樹脂供給ユニット８０を成形ユニット６１に装着することができる。すなわち、所望の数の複数の成形ユニット６１を増減可能な状態で設置することができる。
また、成形前基板又は成形済基板に樹脂材料の微粉末が付着するおそれがない場合（例えば、樹脂材料がペースト状又は液状である場合や、樹脂材料の微粉末を付着させない機構を備える場合など）、基板ユニットと樹脂供給ユニットを成形ユニットの一方側に寄せて配置させることができる。この場合には、基板ユニットと樹脂供給ユニットとが親ユニットになり、成形ユニットが子ユニットになる。また、成形ユニットに対して、他の成形ユニットを着脱可能に構成することができ、所望の数の複数の成形ユニットを増減可能な状態で設置することができる。基板ユニットと樹脂供給ユニットとの間に複数の成形ユニットを配置する場合、及び、親ユニットに対して複数の子ユニット（成形ユニット）を順次配置する場合には、レールが延びる方向に沿って、複数の成形ユニットを並べて配置することが好ましい。
もちろん、基板ユニット、樹脂供給ユニット、成形ユニット各1個が一体化して1台の圧縮成形装置として単独で使用してもよい。
さらに、成型ユニットのみでなく、基板ユニット及び／又は樹脂供給ユニット並びにレールを複数備え、これらを適宜に配置して用いることもできる。
【００５４】
上記実施例の圧縮成形装置は本発明の一例であり、本考案の趣旨の範囲で適宜に変形や修正、追加が許容される。
例えば、上記実施例では、矩形基板に装着された電子部品を成形するために矩形フレーム枠を用いたが、ウエハなどの円盤状基板上に装着された電子部品を成形するために円形フレーム枠を用いることができる。この場合は、例えば、長尺離型フィルムから円形に切り抜いた円形の離型フィルム（或いは、略円形、楕円形の離型フィルム）の上に円形フレーム枠（或いは、略円形、楕円形のフレーム枠）を載置し、移動機構（平行移動部及び回転移動部）によって、円形フレーム枠を水平方向に移動或いは回転させることにより、凹状収容部の離型フィルム上に（或いは、円形フレーム枠内の区分領域内に）リニアフィーダ（樹脂供給口）から顆粒状樹脂などの樹脂材料を一筆書き移動法により供給することができる。
また、上記実施例は電子部品を樹脂封止するための圧縮成形装置であるが、これに限定されず、レンズ、光学モジュール、導光板などの光学部品、その他の樹脂製品を圧縮成形によって製造する場合に、本発明の樹脂材料供給方法及び供給機構、並びに上記各ユニットを有する圧縮成形装置を適用することができる。
【符号の説明】
【００５５】
３０…圧縮成形装置用の樹脂材料供給機構
３１…フレーム枠
３２…離型フィルム
３３…凹状収容部
３３Ａ、３３Ｂ…区分領域
３４…載置台
３５…リニアフィーダ
３５ａ…樹脂供給口
３５ｂ…保持部
３６…土台
３７…ホッパ
３８…シャッタ
３９…振動機構
４０…ロードセル
４１…移動機構
４１ａ…平行移動部
４１ｂ…回転移動部
５０…制御部
５２…樹脂供給制御部
５３…領域移動制御部
５５…入力部
６０…圧縮成形装置
６１…成形ユニット
６２…圧縮成形用型
６３…下型キャビティ
７１…基板ユニット
７２…基板ローダ
７３…成形前基板収容部
７４…成形済基板収容部
７５…ロボットアーム機構
７６ａ…成形前基板
７６ｂ…成形済基板
８０…樹脂供給ユニット
８１…樹脂ローダ
８２…後処理機構
８３、８３ａ…離型フィルム
８４…グリップ
８５…載置台
８６…フィルム裁断機構
８７…リニアフィーダ
８８…フレーム枠
８９…レール
９０…制御部
Ｒ、Ｒｍ…顆粒状樹脂
【図１】
0006049597.tif 000002
【図２】
0006049597.tif 000003
【図３】
0006049597.tif 000004
【図４】
0006049597.tif 000005
【図５】
0006049597.tif 000006
【図６】
0006049597.tif 000007
【図７】
0006049597.tif 000008
【図８】
0006049597.tif 000009